(57)【要約】【課題】多数の用紙を綴じ込むことができて抜き差しも容易に行える簡便なファイル用綴具を提供する。【解決手段】基板１の両側にヒンジ部２，３を介して揺動自在に設けられる一対の可動側板４，５を有する。可動側板５には、用紙を抜き差し自在に綴じ込むための開閉可能な綴込杆１０を有する綴具本体７が取り付けられ、可動側板４には、可動側板４，５が対面されたときに閉じられた状態の綴込杆１０の部位を係止する係止部１３が設けられる。綴込杆１０は、隣り合う長軸状の基軸部１１Ａ，１２Ａを有する剛性線状材１１，１２から成り、その綴込杆１０が係止部１３から外されたとき該綴込杆１０を閉じた状態のまま、基軸部１２Ａから基軸部１１Ａに用紙Ｐの反転移送が可能とされる。【選択図】図３
0003121927.tif 000002
【実用新案登録請求の範囲】
【請求項１】
基板の両側にヒンジ部を介して揺動自在に設けられる一対の可動側板を有し、一方の可動側板に、用紙を抜き差し自在に綴じ込むための開閉可能な綴込杆を有する綴具本体が取り付けられ、他方の可動側板には、一対の可動側板が対面されたときに閉じられた状態の綴込杆の部位を係止する係止部が設けられ、その係止部を有する可動側板が前記基板の表面側に向かう内側揺動方向にバネ付勢されると共に、前記綴込杆は隣り合う長軸状の基軸部を有する一対の剛性線状材から成り、その綴込杆が前記係止部から外されたとき該綴込杆を閉じた状態のまま一方の剛性線状材の基軸部から他方の剛性線状材の基軸部に用紙の反転移送が可能とされることを特徴とするファイル用綴具。
【請求項２】
係止部を有する可動側板には、その係止部と綴込杆とを係合状態に保持するためのロック手段が設けられることを特徴とする請求項１記載のファイル用綴具。
【請求項３】
ロック手段は、係止部を有する可動側板の長手方向に沿って移動可能なスライド部材から成り、そのスライド部材には、前記係止部により係止された綴込杆の内側に挿通して係止部を有する可動側板の揺動を抑止するラッチ部が形成されることを特徴とする請求項２記載のファイル用綴具。
【請求項４】
綴具本体を取り付けた可動側板が基板の表面側から側方展開する方向にバネ付勢されることを特徴とする請求項１〜３のいずれかに記載のファイル用綴具。
【請求項５】
請求項１〜４のいずれかに記載のファイル用綴具を表紙の背部に取り付けて成るファイルブック。
【考案の詳細な説明】
【技術分野】
【０００１】
本考案は、各種用紙の綴じ込みに用いられるルーズリーフ式の綴具に係わり、特に多数の用紙を綴じ込むのに用いて好適なファイル用綴具及び同綴具を備えたファイルブックに関する。
【背景技術】
【０００２】
従来、用紙を綴じ込むルーズリーフ式のファイル用綴具として、リングバインダやパイプバインダが知られる。
【０００３】
このうち、リングバインダは、バネ性を有する金属製の枠体内に内側縁同士を係合せしめた左右一対の作動板を設け、その両作動板が枠体のバネ性により山折および谷折に屈曲するようにし、その屈曲動作によって枠体上に突出する半割のリングが開閉する構成とされる（例えば、特許文献１）。
【０００４】
一方、パイプバインダは、基板の両側にヒンジ部を介して左右一対の可動側板を揺動自在に設け、一方の可動側板に用紙を綴じ込むための二本のパイプを立て、そのパイプに挿入されるピン付の板材が左右一対の可動側板を対面させたとき相手側の可動側板で係止されるようになっている（例えば、特許文献２）。
【０００５】
【特許文献１】実公平６−１７５７２号公報
【０００６】
【特許文献２】実公平２−３５５０３号公報
【考案の開示】
【考案が解決しようとする課題】
【０００７】
しかしながら、特許文献１のようなリングバインダ（リング金具）によれば、円弧状をした一対の綴杆から成るリングに沿って用紙の反転移送が可能とされるために、所望の位置で用紙の抜き差しを行えるという利点を有するものの、その種のリングに綴じ込み得る用紙の枚数は少なく、綴じ込まれた用紙も縁が不揃いになるという問題がある。
【０００８】
一方、特許文献２のようなパイプバインダでは、リングバインダに比べて多くの書類を綴じ込めるという利点を有するものの、用紙を見開き状態にしたときにはパイプが通される綴じ側が大きく湾曲するために、用紙に書き込まれた文字などが見難くなったり、用紙への文字の書き込みが困難になったりする上、リングバインダに比べると用紙の抜き差しが難しいという問題がある。
【０００９】
例えば、綴じ込んだ用紙の中から必要な用紙を抜き取るとき、その用紙がパイプの固定端側に綴じられていると、その上方に位置する用紙もパイプから抜き取らなければならない。このため、抜き取られた不要な用紙が乱れ、これを再度綴じ込む場合に抜き取った全用紙の縁を揃えなければならない。
【００１０】
尚、特許文献２のように、２つのパイプに挿入されるピン付の板（くし板）を備えるものでは、不要な用紙をピン付の板ごとパイプから抜き取ることで用紙が乱雑になることを防止できるが、パイプに対して用紙を抜き差しするときには不要な用紙がピンから外れないよう慎重に作業を行わねばならないという煩わしさがある。
【００１１】
本考案は以上のような事情に鑑みて成されたものであり、その目的は多数の用紙を綴じ込むことができて抜き差しも容易に行える簡便なファイル用綴具を提供することにある。
【課題を解決するための手段】
【００１２】
上記目的を達成するため、本考案に係るファイル用綴具は、基板の両側にヒンジ部を介して揺動自在に設けられる一対の可動側板を有し、一方の可動側板に、用紙を抜き差し自在に綴じ込むための開閉可能な綴込杆を有する綴具本体が取り付けられ、他方の可動側板には、一対の可動側板が対面されたときに閉じられた状態の綴込杆の部位を係止する係止部が設けられ、その係止部を有する可動側板が前記基板の表面側に向かう内側揺動方向にバネ付勢されると共に、前記綴込杆は隣り合う長軸状の基軸部を有する一対の剛性線状材から成り、その綴込杆が前記係止部から外されたとき該綴込杆を閉じた状態のまま一方の剛性線状材の基軸部から他方の剛性線状材の基軸部に用紙の反転移送が可能とされることを特徴とする。
【００１３】
加えて、係止部を有する可動側板には、その係止部と綴込杆とを係合状態に保持するためのロック手段が設けられることを特徴とし、更にそのロック手段は、係止部を有する可動側板の長手方向に沿って移動可能なスライド部材から成り、そのスライド部材には、前記係止部により係止された綴込杆の内側に挿通して係止部を有する可動側板の揺動を抑止するラッチ部が形成されることを特徴とする。
【００１４】
又、綴具本体を取り付けた可動側板が基板の表面側から側方展開する方向にバネ付勢されることを特徴とする。
【００１５】
更に、本考案は以上のように構成されるファイル用綴具を表紙の背部に取り付けて成るファイルブックを提供するものである。
【考案の効果】
【００１６】
本考案に係るファイル用綴具およびファイルブックによれば、基板の両側に揺動自在な可動側板が設けられ、一方の可動側板に一対の剛性線状材から成る開閉可能な綴込杆を有する綴具本体が取り付けられると共に、他方の可動側板には一対の可動側板が対面されたときに閉じられた状態の綴込杆の部位を係止する係止部が設けられ、その係止部から綴込杆が外されたときに該綴込杆を閉じた状態のまま一方の剛性線状材の基軸部から他方の剛性線状材の基軸部に用紙の反転移送が可能とされることから、綴じられた表紙を好適に見開き状態とする事ができるほか、基軸部の長さに相当する多くの用紙を縁が揃った状態に綴じ込むことができ、しかも綴込杆の開閉によって用紙の抜き差しを容易に行うことができる。
【００１７】
加えて、係止部と綴込杆とを係合状態に保持するロック手段を備えることから、落下による衝撃などで綴込杆の部位が係止部から外れて綴込杆が不用意に開放してしまうことを防止することができる。
【００１８】
特に、ロック手段が係止部を有する可動側板の長手方向に沿って移動可能なスライド部材から成り、そのスライド部材には、係止部により係止された綴込杆の内側に挿通して係止部を有する可動側板の揺動を抑止するラッチ部が形成されることから、簡易構造でありながら係止部と綴込杆との係合を確実に保持することができる。
【００１９】
又、綴具本体を取り付けた可動側板が基板の表面側から側方展開する方向にバネ付勢されることから、綴込杆の部位が係止部から外されたとき、綴具本体が取り付けられた可動側板を基板の側方に速やかに展開せしめて用紙を見開き状態にしたり抜き差ししたりすることができる。
【考案を実施するための最良の形態】
【００２０】
以下、図面に基づき本考案を詳しく説明する。先ず、図１〜図３において、１は本考案に係るファイル用綴具を構成する金属製の基板であり、その両側にはヒンジ部２，３を介して左右一対の可動側板４，５が設けられる。それら可動側板４，５は基板１よりも幅狭な金属板で成り、このうち可動側板４はヒンジ部２に設けられる図示せぬバネ（捩りコイルバネ）により基板１の表面側に向かう内側揺動方向（図１における時計回り）に付勢されている。尚、基板１にはその片側を曲げ起こした図示せぬ突片が形成され、その突片により可動側板４が基板１に対して直角に起立した状態を維持するようにしてある。
【００２１】
又、可動側板５は、ヒンジ部３に設けられるバネ６（捩りコイルバネ）により基板１の表面側から側方展開する方向（図１における時計回り）に付勢される。そして、可動側板５の表面には綴具本体７が取り付けられる。
【００２２】
本例において、綴具本体７は、バネ性を有する枠体８と該枠体の内側に設けられる左右一対の作動板９，９とを有し、その作動板９，９には用紙（片側縁に沿ってパンチ穴を穿設したルーズリーフ）を抜き差し自在に綴じ込むための綴込杆１０が設けられる。尚、本例において、綴込杆１０は枠体８の長手方向に間隔をあけて２つ設けられるが、これを３つ以上備える構成としてもよい。
【００２３】
ここに、枠体８は金属板をプレス加工して形成されるものであり、その上面は凸状に湾曲され、左右両側縁は鋭角状に屈曲されて作動板９，９の外側縁に圧接される。更に、枠体８の左右両側縁は部分的に切り欠かれて綴込杆１０を突出させるための開口部８Ａとされる。
【００２４】
一方、左右一対の作動板９，９は、図３に点線で示されるように枠体８の内側で山折および谷折に屈曲するよう内側縁同士が係合せしめられ、それらの外側縁が鋭角状に屈曲された枠体８の両側縁にて支持されるようになっている。
【００２５】
又、綴込杆１０は、作動板９，９の屈曲動作により開閉可能とされる左右一対の剛性線状材１１，１２から構成されるもので、それら剛性線状材１１，１２の一端は開口部８Ａの位置でそれぞれ作動板９，９に固着され、この綴込杆１０が閉じられた状態では図４のように剛性線状材１１，１２の自由端同士が突き合わさってその両者が連続するようになっている。そして、係る綴込杆１０を図４の想像線のように開放することにより該綴込杆１０に対する用紙の抜き差しが可能とされ、その綴込杆１０が閉じられた状態では、左右一対の可動側板４，５を対面させることによって該綴込杆１０の部位が可動側板４の部位で形成されるようになっている。
【００２６】
特に、図４から明らかなように、剛性線状材１１，１２は、枠体８上に隣り合って起立する長軸状の基軸部１１Ａ，１２Ａを有した非円弧形状であり、それら基軸部１１Ａ，１２Ａの先端側は向き合う方向に屈曲せしめたベンド部１１Ｂ，１２Ｂとされる。
【００２７】
他方、可動側板４は、図１〜図３から明らかなように、ヒンジ部２を介して基板１に接続する平板部４Ａと該平板部に取り付けられる角筒状の固定金具４Ｂとから構成される。
【００２８】
図５から明らかなように、可動側板４には綴込杆１０の部位を係止するために固定金具４Ｂを部分的に切り欠いた係止部１３が形成され、左右一対の可動側板４，５を対面させたときに閉じられた状態の綴込杆１０の部位（一方の剛性線状材１２における基軸部１２Ａとベンド部１１Ｂとの連続部分）が係止部１３に嵌まり込んで係止されるようになっている。尚、係止部１３の一端は綴込杆１０の部位を受け入れるために外部に開放される。
【００２９】
又、可動側板４には、係止部１３と綴込杆１０とを係合状態に保持するロック手段として、可動側板４の長手方向に沿って移動可能なスライド部材１４が設けられる。そのスライド部材１４は金属線材を屈曲せしめて成るもので、その一部は固定金具４Ｂの外部に露出される摘み部１４Ａとされ、その摘み部１４Ａに長短２つのアーム部１４Ｂ，１４Ｃが連なる構成とされる。それらアーム部１４Ｂ，１４Ｃは可動側板４の長手方向に沿って固定金具４Ｂ内に摺動自在に収容されると共に、それらの先端部分は係止部１３に係止された綴込杆１０の内側に挿通して可動側板４の揺動を抑止するラッチ部１４Ｄ，１４Ｅとされる。
【００３０】
尚、摘み部１４Ａの操作によりラッチ部１４Ｄ，１４Ｅが綴込杆１０の内側から引き抜かれたときには、可動側板４を図示せぬバネの弾力に抗して基板１の表面側から側方展開する方向（図１の反時計回り）に揺動せしめて綴込杆１０の部位を係止部１３から外すことができる。又、綴込杆１０の部位が係止部１３から外されたとき、バネ６の弾力により綴具本体７を備える可動側板５が基板１の側方に展開するようになっており、この状態では綴込杆１０を閉じた状態のまま一方の基軸部１２から他方の基軸部１１に用紙を反転移送することが可能とされる。
【００３１】
図６は、以上のように構成されるファイル用綴具を備えたファイルブックの展開図である。図６において、１５はファイルブックを構成する表紙であり、この表紙１５は表表紙１５Ａと裏表紙１５Ｂの間に折線で区切られる所定幅の背部１５Ｃが設けられる構成とされる。特に、表紙の背部１４Ｃの内面には上記のようなファイル用綴具を構成する基板１がビスやリベットで固定される。
【００３２】
そして、係るファイルブックによれば、可動側板５を基板１の側方に展開させた状態で一方の基軸部１２から他方の基軸部１１に用紙Ｐを反転移送して見開き状態にすることができる。ここに、図６の状態では、左側の用紙Ｐは可動側板４が起立しているため中央部分が隆起するようになるが、可動側板４を起立状態に維持する上記突片を省略して該可動側板４が基板１上に倒伏するようにすれば図６の左側に反転移送した用紙Ｐも平面状に展開することができ、これによれば左右双方の用紙Ｐ，Ｐに対して見開き状態のまま文字などを容易に書き込むことができる。
【００３３】
尚、表紙１５を閉じるときには、全ての用紙Ｐを剛性線状材１２の基軸部１２Ａに移して可動側板５を起立させれば、上記のように綴込杆１０の部位が可動側板４の係止部１３で係止されることとなる。
【００３４】
次に、本考案に係るファイル用綴具の変更例を図７および図８に示して説明する。尚、上記例と共通する部分には同一符号を付して詳細な説明を省略する。
【００３５】
図７および図８において、基板１はその片側を直角に曲げ起こした側壁２１を有し、その側壁２１の外側面にヒンジ部２を介して可動側板４が揺動自在に設けられる。尚、本例においても可動側板４は図示せぬバネにより基板１の表面側に向かう内側揺動方向に付勢されるが、該可動側板４は側壁２１に沿って起立状態に維持されるようになっている。
【００３６】
特に、側壁２１には、綴具本体７の綴込杆１０に対応する位置を切り欠いたスリット２１Ａが形成され、可動側板５を起立させたときに綴具本体７の綴込杆１０がスリット２１Ａに導入されるようにしてある。
【００３７】
又、可動側板４の上部はコ字形に屈曲され、その上端縁にはスリット２１Ａに対応する位置を凹状に切り欠いた係止部１３が形成される。そして、本例においても、左右一対の可動側板４，５を対面させたときに閉じられた状態の綴込杆１０の部位が可動側板４の係止部１３により係止され、該可動側板４を図示せぬバネの弾力に抗して図８の反時計回りに揺動せしめたときには、綴込杆１０の部位が係止部１３から外れて可動側板５が基板１の側方に展開するようになっている。
【００３８】
尚、図７および図８に示されるファイル用綴具は、係止部１３と綴込杆１０とを係合状態に保持するロック手段を有しないが、本例においても可動側板４に上記例のようなスライド部材１４を設けることができる。
【００３９】
以上、本考案について説明したが、綴具本体７は、バネ性を有する枠体８内に山折および谷折に屈曲する作動板９，９が設けられる構成のものに限らず、隣り合う長軸状の基軸部１１Ａ，１２Ａを有した一対の剛性線状材１１，１２から成る開閉可能な綴込杆１０を備えたものであればよい。
【図面の簡単な説明】
【００４０】
【図１】本考案に係るファイル用綴具を示す正面図
【図２】同綴具を示す平面図
【図３】一方の可動側板が基板の側方に展開した状態を示す平面図
【図４】綴込杆の形態を示す説明図
【図５】綴込杆の部位が係止部により係止された状態を示す説明図
【図６】本考案に係るファイルブックの展開図
【図７】本考案に係るファイル用綴具の変更例を示す斜視図
【図８】図７に示した綴具の正面図
【符号の説明】
【００４１】
１  基板
２，３  ヒンジ部
４，５  可動側板
６  バネ
７  綴具本体
８  枠体
９  作動板
１０  綴込杆
１１，１２  剛性線状材
１１Ａ，１２Ａ  基軸部
１３  係止部
１４  スライド部材
１４Ｄ，１４Ｅ  ラッチ部
【図１】
0003121927.tif 000003
【図２】
0003121927.tif 000004
【図３】
0003121927.tif 000005
【図４】
0003121927.tif 000006
【図５】
0003121927.tif 000007
【図６】
0003121927.tif 000008
【図７】
0003121927.tif 000009
【図８】
0003121927.tif 000010